(57)【要約】【課題】  従来の可搬式作業台の構造、軽量性を大きく変えることなく、作業の安全性が大幅に向上し、作業性の向上も期待できる可搬式作業台を提供する。【解決手段】  長方形状の天板に梯子状の主脚を折り畳み可能に設け、天板または主脚に手掛け部材を折り畳み可能に取付けた可搬式足場台において、長方形状の天板の短辺側に着脱可能な端部足場を連設する。【選択図】        図１
2004150265.tif 000002
【特許請求の範囲】
【請求項１】
長方形状の天板に梯子状の主脚を折り畳み可能に設け、天板または主脚に手掛け部材を折り畳み可能に取付けた可搬式作業台において、長方形状の天板の短辺側に着脱可能な端部足場を連設したことを特徴とする可搬式作業台。
【請求項２】
長方形状の天板に梯子状の主脚を折り畳み可能に設け、天板または主脚に手掛け部材を折り畳み可能に取付けた可搬式作業台を、長方形状の天板の短辺が対向するよう複数個配置し、対向する天板の短辺間に中間足場を介設して作業台を長手方向に連結したことを特徴とする可搬式作業台。
【請求項３】
長方形状の天板に梯子状の主脚を折り畳み可能に設け、天板または主脚に手掛け部材を折り畳み可能に取付けた可搬式作業台を、長方形状の天板の長辺が対向するよう複数個配置し、対向する天板の長辺間に中間足場を介設して作業台を幅方向に連結したことを特徴とする可搬式作業台。
【請求項４】
長方形状の天板に梯子状の主脚を折り畳み可能に設け、天板または主脚に手掛け部材を折り畳み可能に取付けた可搬式作業台を、長方形状の天板の短辺が対向するよう複数個配置し、対向する天板の短辺間に中間足場を介設して作業台を長手方向に連結するとともに、長方形状の天板の長辺が対向するよう複数個配置し、対向する天板の長辺間に中間足場を介設して作業台を幅方向にも連結したことを特徴とする可搬式作業台。
【発明の詳細な説明】
【技術分野】
【０００１】
本発明は、建築工事現場、建築物の天井や壁面などの内外装作業、電気配線作業などで使用される可搬式作業台、詳しくは、長方形状の天板に梯子状の主脚を折り畳み可能に設けた可搬式作業台の改良に関する。
【背景技術】
【０００２】
従来、建築物などの天井、壁面などの作業には、図９に示すように、長方形状の天板３にステップ５をそなえた梯子状の主脚４、４を設けた作業台（足場）２が使用されている。（実開平６−５６３２１号公報他）
作業台２は、通常、可搬式のもので、使用後は、天板３とステップ５の間に取り付けられたステイ７を屈曲部８で折り曲げて、作業台２を折り畳み、移動できるようになっている。
【０００３】
この形式の作業台は、安全上の観点から作業床面の高さが２ｍ未満のものに適用され、作業床面となる天板には滑り止めなど、安全面の措置も行われているが、天井や壁面の作業に必要なものを手に持って作業を行う場合などに、安定性を欠き、落下する事故の生じることが少なくなかった。
【０００４】
この問題を解決するために、図１０に示すように、天板３に梯子状の主脚４、４を折り畳み可能に設けた可搬式作業台２において、天板３または主脚４の上部に、昇降時の手掛けとして機能する手掛け部材６をＡ方向またはＢ方向に回動して、主脚４または天板２に沿って折り畳み可能に取付けられた可搬式作業台１が提案されている。（特許第２９８９１６６号、第２９８９１７２号公報）
しかしながら、このような手掛け部材を設けた作業台を使用した場合においても、内装、外装作業、電気配線作業などで、とくに上方に集中して行う作業などにおいては、足元が不注意となり易く、作業中に長方形状の天板の長辺側や短辺側から足を踏み外す事故が多く経験されており、さらに安全性の高い作業台が要求されている。
【発明の開示】
【発明が解決しようとする課題】
【０００５】
本発明は、天板に梯子状の主脚を折り畳み可能に設けた作業台における上記従来の問題点を解消するためになされたものであり、その目的は、例えば、長さが１，３００〜１，８００ｍｍ、幅が２５０〜５００ｍｍ程度の縦長の天板寸法をそなえ、高さが２ｍ以下程度の可搬式作業台において、従来の可搬式作業台の構造を大きく変えることなしに、天板に載って作業を行う場合における作業の安全性を大幅に向上させた可搬式作業台を提供することにある。
【課題を解決するための手段】
【０００６】
上記の目的を達成するための本発明の請求項１による可搬式作業台は、長方形状の天板に梯子状の主脚を折り畳み可能に設け、天板または主脚に手掛け部材を折り畳み可能に取付けた可搬式作業台において、長方形状の天板の短辺側に着脱可能な端部足場を連設したことを特徴とする。
【０００７】
請求項２による可搬式作業台は、長方形状の天板に梯子状の主脚を折り畳み可能に設け、天板または主脚に手掛け部材を折り畳み可能に取付けた可搬式作業台を、長方形状の天板の短辺が対向するよう複数個配置し、対向する天板の短辺間に中間足場を介設して作業台を長手方向に連結したことを特徴とする。
【０００８】
請求項３による可搬式作業台は、長方形状の天板に梯子状の主脚を折り畳み可能に設け、天板または主脚に手掛け部材を折り畳み可能に取付けた可搬式作業台を、長方形状の天板の長辺が対向するよう複数個配置し、対向する天板の長辺間に中間足場を介設して作業台を幅方向に連結したことを特徴とする。
【０００９】
請求項４による可搬式作業台は、長方形状の天板に梯子状の主脚を折り畳み可能に設け、天板または主脚に手掛け部材を折り畳み可能に取付けた可搬式作業台を、長方形状の天板の短辺が対向するよう複数個配置し、対向する天板の短辺間に中間足場を介設して作業台を長手方向に連結するとともに、長方形状の天板の長辺が対向するよう複数個配置し、対向する天板の長辺間に中間足場を介設して作業台を幅方向にも連結したことを特徴とする。
【発明の効果】
【００１０】
本発明によれば、長方形状の天板をそなえた可搬式作業台において、従来の可搬式作業台の構造、軽量性を大きく変えることなく、作業の安全性が大幅に向上し、その結果として、作業性の向上も期待することができる可搬式作業台が提供される。
【発明を実施するための最良の形態】
【００１１】
本発明の可搬式作業台の好ましい実施形態を以下に説明する。従来と同じ部材、共通の部材には同一の符号を付した。なお、これらの実施形態は、本発明の一実施例を示すものであり、本発明はこれらに限定されるものではない。
【００１２】
本発明の可搬式作業台は、図１０に示す可搬式作業台１（天板３の隅角部または主脚４の上部の１〜４個所に折り畳み可能に設けた手掛け部材６をそなえたもの）をベースとし、図１に示すように、天板３の短辺１０側に端部足場１９を連接することにより、例えば、作業台の長手方向を壁面と対向させて行う壁面作業において、作業台と壁面との隙間をなくし、作業台１の（長手方向）端部での作業中の落下事故を防止することができる。また、足場台の長手方向の作業面積を簡単に増やすことができ、作業領域を広げることができる。図１には、端部足場１９を連設するとともに、天板３の両長片側に手摺１１を設けた実施形態が示されている。
【００１３】
端部足場１９は、例えば図２に示すように、端部足場１９に端部足場固定用部材２０を有する脚部２２、２２を取付け、端部足場固定用部材２０の溝部２１を作業台の主脚のステップ５に嵌着するとともに、端部足場１９の端部を天板３と同一レベルとなるよう天板３の短片１０に重合して、孔Ｈを介してボルト・ナットなど適宜の手段で天板３に固定する。また、端部足場１９にワイヤーなど適宜の手段で取付けられているピンＰを孔Ｈに挿通して、端部足場１９を天板３に固定するようにすると便利である。
【００１４】
本発明においては、図３、図４に示すように、作業台１間に中間足場２３を介設して長手方向または幅方向に連結し、作業面を長手方向または幅方向に拡張して使用することができる。作業台１を中間足場２３を介設して長手方向に連設して使用する場合、図３に示すように、天板３、３の長辺９側の手摺１１、１１を連結部材２４で結び、天板の長辺側に手摺を連続させるようにすれば、内外装工事の際の壁面作業などをさらに安全に行うことが可能となる。
【００１５】
また、図５に示すように、作業台１を中間足場２３を介設して幅方向に連結して使用する場合、天板３、３の長辺側の手摺１１、１１を連結部材２４、２４で結べば、天板の短辺側も囲われて連結部材２５、２５が手摺の機能を果たし、広い作業面において四方の安全がさらに十分に確保される。
【００１６】
さらに、本発明においては、図５に示すように、作業台１を多数の中間足場２３を介設して長手方向および幅方向に連結してもよく、実施形態としては、例えば、天板３の長辺側および短辺側にそれぞれ手摺１１および１２を取付け、手摺１１、１２をそれぞれ連結部材２４および２５で結び、連続した手摺を形成する。なお、図５は、手掛け部材６を省略して示されている。
【００１７】
作業台１の長手方向への連結は、図３に示すように、複数の作業台１、１を長方形状の天板３、３の短辺が対向するよう配置して、対向する天板の短辺間に中間足場２３を配設し、作業台１の幅方向への連結は、図４に示すように、複数の作業台１、１を長方形状の天板３、３の長辺が対向するよう配置し、対向する天板の長辺間に中間足場２３を配設する。
【００１８】
作業台１の天板３に中間足場２３を取付ける場合の実施形態は、図６に示すように、中間足場２３の端縁部に取付け部材２６をボルト・ナット、リベットなどの固定手段Ｆで固着し、天板３と取付け部材２６を重合して、重合部に対応する孔Ｈを穿設し、孔Ｈにピン２７を差し込むことによって行われる。
【００１９】
ピン２７は、図７に示すように、一部に切欠き３０を有する頭部２８、差込み部２９および頭部２８より小径の中間部３１からなり、孔Ｈへの差し込みを簡単に行うことができると同時に、切欠き３０の部分に、例えばドライバーの先を入れて持ち上げることにより簡単に引き抜くことができ、作業台の折り畳み、移動の際の作業性を向上させるのに役立つ。
【００２０】
作業台１の天板３に中間足場２３を取付ける場合の他の実施形態としては、図８に示すように、中間足場２３の一方の端縁部においては、短いピン部材３３Ｂを設け、下部に傾斜面３４を形成して外方に開いた形状とした取付け部材２６Ｂをボルト・ナット、リベットなどの固定手段で固着し、中間足場２３をやや傾けるようにして傾斜面３４に沿って天板３の端部に挿入し、ピン部材３３Ｂを天板３の孔Ｈに差し込むことにより天板３に中間足場２３を取付ける。また、中間足場２３の他方の端縁部においては、長いピン部材３３Ａを設けた取付け部材２６Ａを固着し、天板３と取付け部材２６Ａを重合する際に、ピン部材３３Ａを天板３の孔Ｈに差し込むことにより中間足場２３の取付けを行う。
【実施例】
【００２１】
以下、本発明の実施例を説明する。
実施例１
アルミニウム押出形材（材質：Ａ６０６３ＳおよびＡ６Ｎ０１Ｓ）を組合わせた天板（寸法：長さ１５００ｍｍ、幅５００ｍｍ）、Ａ６Ｎ０１Ｓ押出形材からなる梯子状の主脚、手掛け部材を用いて、図１０に示す構造の、最大高さ１７５０ｍｍ、主脚の伸縮幅４００ｍｍの作業台を組立てた。
【００２２】
この作業台に、アルミニウム押出形材（材質：Ａ６０６３ＳおよびＡ６Ｎ０１Ｓ）を組合わせてなる中間足場（寸法：長さ１５００ｍｍ、幅５００ｍｍ）を介設させて、図８に示す方式により作業台を連結し、図３に示すような作業台を形成した。
実施例２
アルミニウム押出形材（材質：Ａ６０６３ＳおよびＡ６Ｎ０１Ｓ）を組合わせた天板（寸法：長さ１５００ｍｍ、幅５００ｍｍ）、Ａ６Ｎ０１Ｓ押出形材からなる梯子状の主脚、手掛け部材を用いて、図１０に示す構造の、最大高さ１７５０ｍｍ、主脚の伸縮幅４００ｍｍの作業台を組立てた。
【００２３】
この作業台に、アルミニウム押出形材（材質：Ａ６０６３ＳおよびＡ６Ｎ０１Ｓ）を組合わせてなる中間足場（寸法：長さ１５００ｍｍ、幅５００ｍｍ）を介設させて、図８に示す方式により作業台を連結し、図４に示すような作業台を形成した。
【図面の簡単な説明】
【００２４】
【図１】本発明の端部足場を連設した可搬式作業台を示す斜視図である。
【図２】本発明における端部足場の連設方式の一実施例を示す一部斜視図である。
【図３】中間足場を介して長手方向に連結した本発明による可搬式作業台を示す斜視図である。
【図４】中間足場を介して幅方向に連結した本発明による可搬式作業台を示す斜視図である。
【図５】多数の中間足場を介して長手方向および幅方向の連結した本発明による可搬式作業台を示す斜視図である。
【図６】本発明における作業台の天板と中間足場の連結方式の一実施例を示す一部断面図である。
【図７】天板と中間足場を連結するためのピンを示す斜視図である。
【図８】本発明における作業台の天板と中間足場の連結方式の他の実施例を示す一部断面図である。
【図９】従来の可搬式作業台を示す斜視図である。
【図１０】従来の手掛け部材付き可搬式作業台を示す斜視図である。
【符号の説明】
【００２５】
１  可搬式作業台
２  従来の可搬式作業台
３  天板
４  主脚
５  ステップ
６  手掛け部材
７  ステイ
８  屈曲部
９  天板の長辺
10  天板の短辺
11  手摺
12  手摺
19  端部足場
20  端部足場固定用部材
21  溝部
22  脚部
23  中間足場
24  連結部材
25  連結部材
26  取付け部材
27  ピン
28  頭部
29  差込み部
30  切欠き
31  中間部
33  ピン部材
34  傾斜面
Ｈ  孔
Ｆ  固定手段
【図１】
2004150265.tif 000003
【図２】
2004150265.tif 000004
【図３】
2004150265.tif 000005
【図４】
2004150265.tif 000006
【図５】
2004150265.tif 000007
【図６】
2004150265.tif 000008
【図７】
2004150265.tif 000009
【図８】
2004150265.tif 000010
【図９】
2004150265.tif 000011
【図１０】
2004150265.tif 000012